(57)【要約】【課題】キャップの嵌め付けを採用することで、強固で確実な屋根材の固定が低コストで短期間にできて、毛細管現象による滲水防止にも有効な縦葺き屋根構造を提供すること。【解決手段】屋根材は谷部の両側に一対の側縁を有して、この側縁は立上部と、立上部の先端より外方へ斜めに延出する延出部と、延出部の先端より立上って先端を内方下側へ折り返すことで係止部とした上立上部とで形成され、吊子は取付部の両側に一対の立上片を有して、この立上片は上部に屋根材の側縁に設けられる係止部に重ねられる係止部を形成され、上記キャップは谷部の両側に一対の側縁を有して、この側縁は立上部と、立上部の先端より外方へ斜めに延出する延出部と、延出部の先端より立上って先端を内方下側へ折り返すことで屋根材及び吊子に設けられる係止部へ嵌合する嵌合部とした上立上部とで形成されていること。【選択図】図１
2007031945.tif 000002
【特許請求の範囲】
【請求項１】
吊子の立上片と屋根材の側縁とで係止部を形成させ、これら係止部にキャップに設けられた嵌合部を嵌め付けることで屋根材の固定を行なわせる縦葺き屋根構造において、
上記屋根材は谷部の両側に一対の側縁を有して、これら側縁は立上部と、立上部の先端より外方へ斜めに延出する延出部と、延出部の先端より立上って先端を内方下側へ折り返すことで係止部とした上立上部とで形成され、
上記吊子は取付部の両側に一対の立上片を有して、これら立上片は上部に屋根材の側縁に設けられた係止部に重なる係止部を形成され、
上記キャップは谷部の両側に一対の側縁を有して、これら側縁は立上部と、立上部の先端より外方へ斜めに延出する延出部と、延出部の先端より立上って先端を内方下側へ折り返すことで屋根材及び吊子に設けられた係止部へ嵌合する嵌合部とした上立上部とで形成されていることを特徴とする縦葺き屋根構造。
【発明の詳細な説明】
【技術分野】
【０００１】
本発明は、キャップの嵌め付けで施工を簡単にした縦葺き屋根構造に関する。
【背景技術】
【０００２】
従来、縦葺き屋根において瓦棒を使用しないものは、金具本体を屋根下地に固定した後
、その膨出部の側方に屋根材の立上片を配すると共に、カバー体を長孔から係止片が突出するように膨出部に嵌め付けてから、係止片と屋根材の立上片を馳締めにして三者を結合するようにしている。（例えば特許文献１参照）
【特許文献１】特開平７−１０９８０３号公報
【０００３】
しかしながら前記馳締め式は、非常に面倒で手間が掛かり、仕上げにはバラツキが出易くて、しかも、馳締め部が屋根材に接近しているため、雨や積雪の際に毛細管現象で内部への滲水を起し易い問題点がある。
【発明の開示】
【発明が解決しようとする課題】
【０００４】
本発明は前記問題点を解消し、キャップの嵌め付けを採用することで、強固で確実な屋根材の固定が低コストで短期間にできて、毛細管現象による滲水の防止にも有効な縦葺き屋根構造を提供することをその課題とする。
【課題を解決するための手段】
【０００５】
前記課題を解決するため本発明に係る縦葺き屋根構造は、下記の構造を採用することを特徴とする。
【０００６】
吊子の立上片と屋根材の側縁とで係止部を形成させ、これら係止部にキャップに設けられた嵌合部を嵌め付けることで屋根材の固定を行なわせる縦葺き屋根構造において、上記屋根材は谷部の両側に一対の側縁を有して、これら側縁は立上部と、立上部の先端より外方へ斜めに延出する延出部と、延出部の先端より立上って先端を内方下側へ折り返すことで係止部とした上立上部とで形成され、上記吊子は取付部の両側に一対の立上片を有して、これら立上片は上部に屋根材の側縁に設けられる上記係止部に重ねられる係止部を形成され、上記キャップは谷部の両側に一対の側縁を有して、これら側縁は立上部と、立上部の先端より外方へ斜めに延出する延出部と、延出部の先端より立上って先端を内方下側へ折り返すことで上記屋根材及び吊子に設けられる係止部に嵌合する嵌合部とした上立上部とで形成されていること。
【発明の効果】
【０００７】
請求項１の効果  屋根材を間隔を置いて屋根下地上へ並べ、屋根材の間へ吊子を収めて係止部が屋根材の係止部へ重なったとき、吊子の取付部を屋根下地へ固定して、吊子にキャップを嵌め付ければ、キャップの上立上部に設けた嵌合部が屋根材と吊子の重なる係止部へ係合して風に煽られても離脱しない強固な固定を至って簡単にしかも迅速に行なえるので、大幅な施工コストの削減と工期の短縮が図れる。
【０００８】
キャップに設けた嵌合部を係合させる屋根材の係止部が、立上部と斜めの延出部と上立上部とよりなる屋根材側縁の上側に設けられて、屋根材面より十分に離隔されるので、雨は勿論、多少の積雪では嵌合部が埋もれることがないので、毛細管現象によって発生し易い滲水の防止に有効である。
【発明を実施するための最良の形態】
【０００９】
以下に本発明に係る縦葺き屋根構造の実施形態を図面に付いて説明する。
【００１０】
図１において符号Ａは縦葺き屋根構造を示す。この縦葺き屋根構造Ａは、屋根材１の側縁２と吊子３の立上片４とで係止部５，６を形成させ、これら係止部５，６にキャップ７に設けられる嵌合部８を嵌め付けることで風に煽られてもキャップ７が離脱することのない強固で確実な屋根材１の固定を至って簡単迅速に行なえる。
【００１１】
上記縦葺き屋根構造Ａの屋根材１は、平屋根の場合は平面をなし、彎曲屋根等の場合はこれに即した彎曲等をなす主部１ａの両側に一対の側縁２，２を有するものであって、図２に示す通りこれら側縁２，２は、立上部２ａと、立上部２ａの先端より外方へ斜めに延出する延出部２ｂと、延出部２ｂの先端より立上って上端部を内方下側へ斜めに折り返すことで逆止作用をする係止部５を形成させた上立上部２ｃとを有する構成であり、この屋根材１は、トタン板、銅板、ステンレス板等を材料として長尺物に形成する。そして、上記係止部５の先端には内側の上方へ折り曲げることで、図５に示す通り吊子３の立上片４に設けられる係合部６の先端部を挟み込む挟持部１０を形成する。
【００１２】
上記吊子３は、図３（ｂ）に示す通り屋根下地９へ取り付ける取付部３ａの両側に一対の立上片１１を有するものであって、この立上片１１は上端部を外方下側へ斜めに折り返して、図５に示す通り屋根材１の側縁２の上立上片２ｄの上部に形成した係止部５へ重ならせるとともに、先端を挟持部１０に挟まれるようにした係止部６を設けたものである。この吊子３は外からは見えないので適当な材料で短尺物（長尺であってもよい）に形成して、屋根下地９へ間隔を置いて取り付けるので、取付部３には複数の孔１２をあけ、これらの孔１２にネジ等の固定部材１３を通して屋根下地９へ締め込むことによって固定する。
【００１３】
上記キャップ７は、図３（ａ）に示す通り中央に谷部７ａを有してその両側には一対の側縁１４，１４を設けられ、これらの側縁１４，１４は立上部１４ａと、立上部１４ａの先端より外方へ斜めに延出する延出部１４ｂと、延出部１４ｂの先端より立上って先端を内方下側へ折り返し、下端に上記屋根材１に設けられる係止部５へ係合する鉤部８ａを設けることで嵌合部８とした上立上部２ｃとを有する構成であって、このキャップ７は、屋根材１と同様、トタン板、銅板、ステンレス板などにより長尺物に形成する。そして、上記嵌合部８における鉤部８ａの下側には把手部１５を形成し、谷部７ａの中央部には吊子３固定する部材１３の頭部１３ａが収まるように溝条７ｂを形成する。
【００１４】
上記構成の縦葺き屋根構造Ａによる屋根葺きは、先ず屋根材１，１を図４に示す通り吊子３が収まる間隔で屋根下地９の上へ並べ付けて、屋根材１，１の間へ図５に示すように上側から吊子３を納める。すると、両側の立上片４，４の上端に形成された係止部６が屋根材１の側縁２の上端に設けた係止部５へ重なって（図面には隙間があるように表示されているが実際には密着するものである）先端を挟持部１０に挟まれ、これに伴って取付部３ａは屋根下地９へ当接する。そこで、この取付部３ａにあけた孔１２から屋根下地９へねじ等の固定部材１３を締め込めば吊子３が屋根下地９へ固定される。
【００１５】
次に、固定された吊子３の内側へ側縁１４，１４を立上片４，４に案内させて図１に示す通りキャップ７を嵌め込むと、中央の谷部７ａが吊子３の取付部３ａに当接したとき、側縁１４，１４の上部に設けた嵌合部８は弾性変形して係止部５，６の斜面を乗り越え、鉤部８ａが係止部５，６の下側に達したとき復元して鉤部８ａを係止部５，６に係合させるので、風に煽られても離脱しない強固なキャップ７の固定が行なわれるものであって、この状態では係止部５，６と嵌合部８の鉤部８ａとは密着し合うが、図１においては隙間があるように表示してある。
【００１６】
また、この縦葺き屋根構造Ａは屋根材１の係止部５が、立上部２ａと、立上部２ａの先端より外方へ斜めに延出する延出部２ｂと、延出部２ｂの先端より立上る上立上部２ｃとよりなる側縁２，２の上端部に設けられ、キャップ７の嵌合部８が、立上部１４ａと立上部１４ａの先端より外方へ斜めに延出する延出部１４ｂと、延出部１４ｂの先端より立上る上立上部１４ｃとよりなる側縁１４，１４の上端部に設けられて、何れも屋根材１の表面より十分に離隔した位置にあるので、雨は勿論、多少の積雪でもこれらに嵌合部８が埋もれることがないので、毛細管現象で内部への滲水が起ることも殆どないものである。
【産業上の利用可能性】
【００１７】
本発明は、強固で滲水のおそれがない屋根の縦葺きを低コストで短期間で行なうのに利用できる。
【図面の簡単な説明】
【００１８】
【図１】本発明に係る縦葺き屋根構造の完成状態を示す縦断正面図である。
【図２】屋根材の一部分を示す斜視図である。
【図３】（ａ）（ｂ）はキャップの一部分と吊子の全体を示す斜視図である。
【図４】屋根材を屋根下地上へ間隔を置いて並べた状態の縦断正面図である。
【図５】屋根材の間へ吊子を取付けた状態を示す縦断側面図である。
【符号の説明】
【００１９】
Ａ  縦葺き屋根構造
１  屋根材
２，２  側縁
２ａ  立上部
２ｂ  延出部
２ｃ  上立上部
３  吊子
３ａ  取付部
４，４  立上片
５，６  係止部
７  キャップ
８  嵌合部
９  屋根下地
１４，１４  側縁
１４ａ  立上部
１４ｂ  延出部
１４ｃ  上立上部
【図１】
2007031945.tif 000003
【図２】
2007031945.tif 000004
【図３】
2007031945.tif 000005
【図４】
2007031945.tif 000006
【図５】
2007031945.tif 000007